(57)【要約】【課題】制御装置と出力装置の双方に前記出力装置の画像出力条件についての設定内容を保存する設定保存手段を有するように構成された画像出力システムにおいて、前記出力装置の画像出力条件を、前記制御装置および前記出力装置のうちどちらの設定保存手段に保存された画像出力条件についての設定内容に基づいて画像出力するかを制御することで、前記制御装置と前記出力装置の画像出力条件についての設定内容による不整合が生じることを防止すること。【解決手段】画像データそれぞれについて第１の設定保存手段或いは第２の設定保存手段に保存された画像出力条件についての設定内容のうちいずれに従って画像出力を行なうかを選択する選択情報に基づいて前記画像データについて画像出力条件の設定を行ない画像出力を行うように制御する。【選択図】　　　図５
2004021494.tif 000002
【特許請求の範囲】
【請求項１】
画像出力を行う出力装置と、画像データに基づく画像を出力するように前記出力装置を制御する制御装置とから構成され、前記出力装置に備えた第１の設定保存手段に保存された画像出力条件についての設定内容、或いは、前記制御装置に備えた第２の設定保存手段に保存された画像出力条件についての設定内容のいずれかに従い前記出力装置により画像出力を行う画像出力システムであって、
前記制御装置は、
前記画像データのそれぞれについて前記第１及び前記第２の設定保存手段に保存された画像出力条件についての設定内容のうちいずれに従って画像出力を行なうかを選択する選択情報を取得する選択情報取得手段と、
前記選択情報に基づいて前記画像データについて画像出力条件の設定を行なう設定手段と、
前記設定手段の設定情報を前記出力装置に送信する送信手段とを含み、
前記出力装置は、
前記送信手段から送信される前記設定情報に基づく設定内容に従いつつ画像出力を行うように制御する制御手段を含むことを特徴とする画像出力システム。
【請求項２】
画像出力を行う出力装置と、画像データに基づく画像を出力するように前記出力装置を制御する制御装置とから構成され、前記出力装置に備えた第１の設定保存手段に保存された画像出力条件についての設定内容、或いは、前記制御装置に備えた第２の設定保存手段に保存された画像出力条件についての設定内容のいずれかに従い前記出力装置により画像出力を行う画像出力システムであって、
前記制御装置は、
前記画像データまたは前記画像データを示す出力画像情報ファイルを記憶するための前記第１の設定保存手段に記憶された画像出力条件についての設定内容に従い画像出力するようになされた第１の記憶手段及び前記第２の設定保存手段に記憶された画像出力条件についての設定内容に従い画像出力するようになされた第２の記憶手段と、
前記画像データのそれぞれについて前記第１及び前記第２の設定保存手段に保存された画像出力条件についての設定内容のうちいずれに従って画像出力を行なうかを選択する選択情報を取得する選択情報取得手段と、
前記選択情報に基づいて、前記画像データまたは前記画像データを示す出力画像情報ファイルを前記第１の記憶手段または第２の記憶手段に記憶するように制御する記憶制御手段と、
前記画像データまたは前記画像データを示す出力画像情報ファイルが記憶された前記記憶手段に基づいて前記画像データについて画像出力条件の設定を行なう設定手段と、
前記設定手段の設定情報を前記出力装置に送信する送信手段とを含み、
前記出力装置は、
前記送信手段から送信される前記設定情報に基づく設定内容に従いつつ画像出力を行うように制御する制御手段を含むことを特徴とする画像出力システム。
【請求項３】
画像出力を行う出力装置と、画像データに基づく画像を出力するように前記出力装置を制御する制御装置とから構成され、前記出力装置に備えた第１の設定保存手段に保存された画像出力条件についての設定内容、或いは、前記制御装置に備えた第２の設定保存手段に保存された画像出力条件についての設定内容のいずれかに従い前記出力装置により画像出力を行う画像出力システムであって、
前記制御装置は、
前記画像データのそれぞれについて前記第１及び前記第２の設定保存手段に保存された画像出力条件についての設定内容のうちいずれに従って画像出力を行なうかを選択する選択情報を取得する選択情報取得手段と、
前記選択情報を前記出力装置に送信する送信手段とを含み、
前記出力装置は、
前記送信手段から送信される前記選択情報に基づいて前記画像データについて画像出力条件の設定を行なう設定手段と、
前記設定手段の画像出力条件に従いつつ画像出力を行うように制御する制御手段とを含むことを特徴とする画像出力システム。
【請求項４】
画像出力を行う出力装置と、画像データに基づく画像を出力するように前記出力装置を制御する制御装置とから構成され、前記出力装置に備えた第１の設定保存手段に保存された画像出力条件についての設定内容、或いは、前記制御装置に備えた第２の設定保存手段に保存された画像出力条件についての設定内容のいずれかに従い前記出力装置により画像出力を行う画像出力システムであって、
前記制御装置は、
前記画像データのそれぞれについて前記第１及び前記第２の設定保存手段に保存された画像出力条件についての設定内容のうちいずれに従って画像出力を行なうかを選択する選択情報を取得する選択情報取得手段と、
前記選択情報を前記出力装置に送信する送信手段とを含み、
前記出力装置は、
前記画像データまたは前記画像データを示す出力画像情報ファイルを記憶するための前記第１の設定保存手段に記憶された画像出力条件についての設定内容に従い画像出力するようになされた第１の記憶手段及び前記第２の設定保存手段に記憶された画像出力条件についての設定内容に従い画像出力するようになされた第２の記憶手段と、
前記選択情報に基づいて、前記画像データまたは前記画像データを示す出力画像情報ファイルを前記第１の記憶手段または第２の記憶手段に記憶するように制御する記憶制御手段と、
前記画像データまたは前記画像データを示す出力画像情報ファイルが記憶された前記記憶手段に基づいて前記画像データについて画像出力条件の設定を行なう設定手段と、
前記設定手段の画像出力条件に従いつつ画像出力を行うように制御する制御手段とを含むことを特徴とする画像出力システム。
【請求項５】
前記設定内容は複数の項目で構成され、
前記選択情報は、前記画像データのそれぞれについての前記複数の項目の各々の項目について前記第１及び前記第２の設定保存手段に保存された画像出力条件についての設定内容のうちいずれに従って画像出力を行なうかを選択する請求項１または請求項３に記載の画像出力システム。
【請求項６】
前記制御装置は、
前記出力装置に備えた第１の設定保存手段に保存された画像出力条件についての設定内容の表示、前記制御装置に備えた第２の設定保存手段に保存された画像出力条件についての設定内容の表示、前記選択の変更を行うための表示、または、前記第２の設定保存手段に保存された画像出力条件についての設定内容の変更をおこなうための表示のうち少なくともいずれかひとつが表示可能な表示手段をさらに含む請求項１乃至請求項５のいずれかに記載の画像処理システム。
【請求項７】
画像出力を行う出力装置と通信可能に接続され、画像出力条件についての設定内容保存する第２の設定保存手段を有し、前記出力装置に備えた第１の設定保存手段に保存された画像出力条件についての設定内容、或いは、前記第２の設定保存手段に保存された画像出力条件についての設定内容のいずれかに従い前記出力装置により画像出力を行なうように制御する制御装置であって、
前記画像データのそれぞれについて前記第１及び前記第２の設定保存手段に保存された画像出力条件についての設定内容のうちいずれに従って画像出力を行なうかを選択する選択情報を取得する選択情報取得手段と、
前記選択情報に基づいて前記画像データについて画像出力条件の設定を行なう設定手段と、
前記設定手段の設定情報を前記出力装置に送信する送信手段とを有することを特徴とする制御装置。
【請求項８】
画像出力を行う出力装置と通信可能に接続され、画像出力条件についての設定内容保存する第２の設定保存手段を有し、前記出力装置に備えた第１の設定保存手段に保存された画像出力条件についての設定内容、或いは、前記第２の設定保存手段に保存された画像出力条件についての設定内容のいずれかに従い前記出力装置により画像出力を行なうように制御する制御装置であって、
前記画像データまたは前記画像データを示す出力画像情報ファイルを記憶するための前記第１の設定保存手段に記憶された画像出力条件についての設定内容に従い画像出力するようになされた第１の記憶手段及び前記第２の設定保存手段に記憶された画像出力条件についての設定内容に従い画像出力するようになされた第２の記憶手段と、
前記画像データのそれぞれについて前記第１及び前記第２の設定保存手段に保存された画像出力条件についての設定内容のうちいずれに従って画像出力を行なうかを選択する選択情報を取得する選択情報取得手段と、
前記選択情報に基づいて、前記画像データまたは前記画像データを示す出力画像情報ファイルを前記第１の記憶手段または第２の記憶手段に記憶するように制御する記憶制御手段と、
前記画像データまたは前記画像データを示す出力画像情報ファイルが記憶された前記記憶手段に基づいて前記画像データについて画像出力条件の設定を行なう設定手段と、
前記設定手段の設定情報を前記出力装置に送信する送信手段とを有することを特徴とする制御装置。
【請求項９】
画像出力を行う出力装置と通信可能に接続され、画像出力条件についての設定内容保存する第２の設定保存手段を有し、前記出力装置に備えた第１の設定保存手段に保存された画像出力条件についての設定内容、或いは、前記第２の設定保存手段に保存された画像出力条件についての設定内容のいずれかに従い前記出力装置により画像出力を行なうように制御する制御装置であって、
前記画像データのそれぞれについて前記第１及び前記第２の設定保存手段に保存された画像出力条件についての設定内容のうちいずれに従って画像出力を行なうかを選択する選択情報を取得する選択情報取得手段と、
前記選択情報を前記出力装置に送信する送信手段とを有することを特徴とする制御装置。
【請求項１０】
前記設定内容は複数の項目で構成され、
前記選択情報は、前記画像データのそれぞれについての前記複数の項目の各々の項目について前記第１及び前記第２の設定保存手段に保存された画像出力条件についての設定内容のうちいずれに従って画像出力を行なうかを選択する請求項７または請求項９に記載の制御装置。
【請求項１１】
前記出力装置に備えた第１の設定保存手段に保存された画像出力条件についての設定内容の表示、前記制御装置に備えた第２の設定保存手段に保存された画像出力条件についての設定内容の表示、前記選択の変更を行うための表示、または、前記第２の設定保存手段に保存された画像出力条件についての設定内容の変更をおこなうための表示のうち少なくともいずれかひとつが表示可能な表示手段をさらに含む請求項７乃至請求項１０のいずれかに記載の制御装置。
【請求項１２】
画像データに基づく画像を出力するように制御する制御装置と通信可能に接続され、画像出力条件についての設定内容を保存する第１の設定保存手段を有し、前記第１の設定保存手段に保存された画像出力条件についての設定内容、或いは、前記制御装置に備えた第２の設定保存手段に保存された画像出力条件についての設定内容のいずれかに従い画像出力を行う出力装置であって、
前記制御装置から送信される前記画像データのそれぞれについて前記第１及び前記第２の設定保存手段に保存された画像出力条件についての設定内容のうちいずれに従って画像出力を行なうかを選択する選択情報に基づいて、前記画像データについて画像出力条件の設定を行なう設定手段と、
前記設定手段の画像出力条件に従いつつ画像出力を行うように制御する制御手段とを有することを特徴とする出力装置。
【請求項１３】
画像データに基づく画像を出力するように制御する制御装置と通信可能に接続され、画像出力条件についての設定内容を保存する第１の設定保存手段を有し、前記第１の設定保存手段に保存された画像出力条件についての設定内容、或いは、前記制御装置に備えた第２の設定保存手段に保存された画像出力条件についての設定内容のいずれかに従い画像出力を行う出力装置であって、
前記画像データまたは前記画像データを示す出力画像情報ファイルを記憶するための前記第１の設定保存手段に記憶された画像出力条件についての設定内容に従い画像出力するようになされた第１の記憶手段及び前記第２の設定保存手段に記憶された画像出力条件についての設定内容に従い画像出力するようになされた第２の記憶手段と、
前記制御装置から送信される前記画像データのそれぞれについて前記第１及び前記第２の設定保存手段に保存された画像出力条件についての設定内容のうちいずれに従って画像出力を行なうかを選択する選択情報に基づいて、前記画像データまたは前記画像データを示す出力画像情報ファイルを前記第１の記憶手段または第２の記憶手段に記憶するように制御する記憶制御手段と、
前記画像データまたは前記画像データを示す出力画像情報ファイルが記憶された前記記憶手段に基づいて前記画像データについて画像出力条件の設定を行なう設定手段と、
前記設定手段の画像出力条件に従いつつ画像出力を行うように制御する制御手段とを有することを特徴とする出力装置。
【請求項１４】
前記設定内容は複数の項目で構成され、
前記選択情報は、前記画像データのそれぞれについての前記複数の項目の各々の項目について前記第１及び前記第２の設定保存手段に保存された画像出力条件についての設定内容のうちいずれに従って画像出力を行なうかを選択する請求項１２に記載の出力装置。
【請求項１５】
画像出力を行う出力装置と画像データに基づく画像を出力するように前記出力装置を制御する制御装置とから構成され、前記出力装置に備えた第１の設定保存手段に保存された画像出力条件についての設定内容、或いは、前記制御装置に備えた第２の設定保存手段に保存された画像出力条件についての設定内容のいずれかに従い前記出力装置により画像出力を行う画像出力システムにおける画像出力制御方法であって、
前記画像データのそれぞれについて前記第１及び前記第２の設定保存手段に保存された画像出力条件についての設定内容のうちいずれに従って画像出力を行なうかを選択する選択情報を取得するステップと、
前記選択情報に基づいて前記画像データについて画像出力条件の設定を行なうステップとを含むことを特徴とする画像出力制御方法。
【請求項１６】
画像出力を行う出力装置と画像データに基づく画像を出力するように前記出力装置を制御する制御装置とから構成され、前記出力装置に備えた第１の設定保存手段に保存された画像出力条件についての設定内容、或いは、前記制御装置に備えた第２の設定保存手段に保存された画像出力条件についての設定内容のいずれかに従い前記出力装置により画像出力を行う画像出力システムにおける画像出力制御方法であって、
前記画像データのそれぞれについて前記第１及び前記第２の設定保存手段に保存された画像出力条件についての設定内容のうちいずれに従って画像出力を行なうかを選択する選択情報を取得するステップと、
前記選択情報に基づいて、前記画像データまたは前記画像データを示す出力画像情報ファイルを、前記第１の設定保存手段に記憶された画像出力条件についての設定内容に従い画像出力するようになされた第１の記憶手段及び前記第２の設定保存手段に記憶された画像出力条件についての設定内容に従い画像出力するようになされた第２の記憶手段に記憶するステップと、
前記画像データまたは前記画像データを示す出力画像情報ファイルが記憶された前記記憶手段に基づいて前記画像データについて画像出力条件の設定を行なうステップとを含むことを特徴とする画像出力制御方法。
【発明の詳細な説明】
【０００１】
【発明の属する技術分野】
本発明は、画像出力を行う出力装置と、この出力装置に関する動作制御及び画像データの加工・送信等を行う制御装置と、これらから構成される画像出力システム及びその画像出力制御方法に関するものである。
【０００２】
【従来の技術】
一般に、印刷・製版業の色校正で使用される出力装置、即ち、ＤＣＰ作成装置は、高度な調整や画像出力条件の設定が必要であり、このＤＣＰ作成装置の画像出力条件の設定については、当該装置に設けられたタッチパネル等の設定手段を用いて行うことが通常となっている。従って、その画像出力条件の設定変更や設定確認の際には、オペレータはＤＣＰ作成装置まで出向いて、これらを行うこととなっている。
【０００３】
しかしながら、近年においては、より利便性を考慮して、ＤＣＰ作成装置にその出力制御を行う制御装置を接続して、本来、ＤＣＰ作成装置において行う画像出力条件の設定をこの制御装置においても行うことを可能にすることで、オペレータがＤＣＰ作成装置まで出向くことなく、その画像出力条件の設定変更や設定確認を行うことが可能に構成された画像出力システムが出現してきている。
【０００４】
【発明が解決しようとする課題】
しかしながら、この画像出力システムにおいては、制御装置とＤＣＰ作成装置の双方において同一項目の画像出力条件の設定を行うことが可能であるため、これらにおいて個々に画像出力条件の設定操作が成された場合には、例えば、制御装置における画像出力条件の設定内容を所望したにもかかわらずＤＣＰ作成装置における画像出力条件の設定内容で出力されてしまうなど画像出力条件の設定内容により不整合が生じ、オペレータが望んだ出力結果が得られないトラブルが発生する場合があった。
【０００５】
本発明は、上記課題を鑑みてなされたものであり、その目的とするところは、制御装置と出力装置の双方に前記出力装置の画像出力条件についての設定内容を保存する設定保存手段を有するように構成された画像出力システムにおいて、前記出力装置の画像出力条件を、前記制御装置および前記出力装置のうちどちらの設定保存手段に保存された画像出力条件についての設定内容に基づいて画像出力するかを制御することで、前記制御装置と前記出力装置の画像出力条件についての設定内容による不整合が生じることを防止する画像出力システム、制御装置、出力装置及び画像出力制御方法を提供することにある。
【０００６】
【課題を解決するための手段】
上記課題を解決するために、請求項１記載の発明は、画像出力を行う出力装置と、画像データに基づく画像を出力するように前記出力装置を制御する制御装置とから構成され、前記出力装置に備えた第１の設定保存手段に保存された画像出力条件についての設定内容、或いは、前記制御装置に備えた第２の設定保存手段に保存された画像出力条件についての設定内容のいずれかに従い前記出力装置により画像出力を行う画像出力システムであって、前記制御装置は、前記画像データのそれぞれについて前記第１及び前記第２の設定保存手段に保存された画像出力条件についての設定内容のうちいずれに従って画像出力を行なうかを選択する選択情報を取得する選択情報取得手段と、前記選択情報に基づいて前記画像データについて画像出力条件の設定を行なう設定手段と、前記設定手段の設定情報を前記出力装置に送信する送信手段とを含み、前記出力装置は、前記送信手段から送信される前記設定情報に基づく設定内容に従いつつ画像出力を行うように制御する制御手段を含むことを特徴とする。
【０００７】
上記課題を解決するために、請求項２記載の発明は、画像出力を行う出力装置と、画像データに基づく画像を出力するように前記出力装置を制御する制御装置とから構成され、前記出力装置に備えた第１の設定保存手段に保存された画像出力条件についての設定内容、或いは、前記制御装置に備えた第２の設定保存手段に保存された画像出力条件についての設定内容のいずれかに従い前記出力装置により画像出力を行う画像出力システムであって、前記制御装置は、前記画像データまたは前記画像データを示す出力画像情報ファイルを記憶するための前記第１の設定保存手段に記憶された画像出力条件についての設定内容に従い画像出力するようになされた第１の記憶手段及び前記第２の設定保存手段に記憶された画像出力条件についての設定内容に従い画像出力するようになされた第２の記憶手段と、前記画像データのそれぞれについて前記第１及び前記第２の設定保存手段に保存された画像出力条件についての設定内容のうちいずれに従って画像出力を行なうかを選択する選択情報を取得する選択情報取得手段と、前記選択情報に基づいて、前記画像データまたは前記画像データを示す出力画像情報ファイルを前記第１の記憶手段または第２の記憶手段に記憶するように制御する記憶制御手段と、前記画像データまたは前記画像データを示す出力画像情報ファイルが記憶された前記記憶手段に基づいて前記画像データについて画像出力条件の設定を行なう設定手段と、前記設定手段の設定情報を前記出力装置に送信する送信手段とを含み、前記出力装置は、前記送信手段から送信される前記設定情報に基づく設定内容に従いつつ画像出力を行うように制御する制御手段を含むことを特徴とする。
【０００８】
上記課題を解決するために、請求項３記載の発明は、画像出力を行う出力装置と、画像データに基づく画像を出力するように前記出力装置を制御する制御装置とから構成され、前記出力装置に備えた第１の設定保存手段に保存された画像出力条件についての設定内容、或いは、前記制御装置に備えた第２の設定保存手段に保存された画像出力条件についての設定内容のいずれかに従い前記出力装置により画像出力を行う画像出力システムであって、前記制御装置は、前記画像データのそれぞれについて前記第１及び前記第２の設定保存手段に保存された画像出力条件についての設定内容のうちいずれに従って画像出力を行なうかを選択する選択情報を取得する選択情報取得手段と、前記選択情報を前記出力装置に送信する送信手段とを含み、前記出力装置は、前記送信手段から送信される前記選択情報に基づいて前記画像データについて画像出力条件の設定を行なう設定手段と、前記設定手段の画像出力条件に従いつつ画像出力を行うように制御する制御手段とを含むことを特徴とする。
【０００９】
上記課題を解決するために、請求項４記載の発明は、画像出力を行う出力装置と、画像データに基づく画像を出力するように前記出力装置を制御する制御装置とから構成され、前記出力装置に備えた第１の設定保存手段に保存された画像出力条件についての設定内容、或いは、前記制御装置に備えた第２の設定保存手段に保存された画像出力条件についての設定内容のいずれかに従い前記出力装置により画像出力を行う画像出力システムであって、前記制御装置は、前記画像データのそれぞれについて前記第１及び前記第２の設定保存手段に保存された画像出力条件についての設定内容のうちいずれに従って画像出力を行なうかを選択する選択情報を取得する選択情報取得手段と、前記選択情報を前記出力装置に送信する送信手段とを含み、前記出力装置は、前記画像データまたは前記画像データを示す出力画像情報ファイルを記憶するための前記第１の設定保存手段に記憶された画像出力条件についての設定内容に従い画像出力するようになされた第１の記憶手段及び前記第２の設定保存手段に記憶された画像出力条件についての設定内容に従い画像出力するようになされた第２の記憶手段と、前記選択情報に基づいて、前記画像データまたは前記画像データを示す出力画像情報ファイルを前記第１の記憶手段または第２の記憶手段に記憶するように制御する記憶制御手段と、前記画像データまたは前記画像データを示す出力画像情報ファイルが記憶された前記記憶手段に基づいて前記画像データについて画像出力条件の設定を行なう設定手段と、前記設定手段の画像出力条件に従いつつ画像出力を行うように制御する制御手段とを含むことを特徴とする。
【００１０】
上記課題を解決するために、請求項５記載の発明は、前記設定内容は複数の項目で構成され、前記選択情報は、前記画像データのそれぞれについての前記複数の項目の各々の項目について前記第１及び前記第２の設定保存手段に保存された画像出力条件についての設定内容のうちいずれに従って画像出力を行なうかを選択することを特徴とする。
【００１１】
上記課題を解決するために、請求項６記載の発明は、前記制御装置は、前記出力装置に備えた第１の設定保存手段に保存された画像出力条件についての設定内容の表示、前記制御装置に備えた第２の設定保存手段に保存された画像出力条件についての設定内容の表示、前記選択の変更を行うための表示、または、前記第２の設定保存手段に保存された画像出力条件についての設定内容の変更をおこなうための表示のうち少なくともいずれかひとつが表示可能な表示手段をさらに含むことを特徴とする。
【００１２】
上記課題を解決するために、請求項７記載の発明は、画像出力を行う出力装置と通信可能に接続され、画像出力条件についての設定内容保存する第２の設定保存手段を有し、前記出力装置に備えた第１の設定保存手段に保存された画像出力条件についての設定内容、或いは、前記第２の設定保存手段に保存された画像出力条件についての設定内容のいずれかに従い前記出力装置により画像出力を行なうように制御する制御装置であって、前記画像データのそれぞれについて前記第１及び前記第２の設定保存手段に保存された画像出力条件についての設定内容のうちいずれに従って画像出力を行なうかを選択する選択情報を取得する選択情報取得手段と、前記選択情報に基づいて前記画像データについて画像出力条件の設定を行なう設定手段と、前記設定手段の設定情報を前記出力装置に送信する送信手段とを有することを特徴とする。
【００１３】
上記課題を解決するために、請求項８記載の発明は、画像出力を行う出力装置と通信可能に接続され、画像出力条件についての設定内容保存する第２の設定保存手段を有し、前記出力装置に備えた第１の設定保存手段に保存された画像出力条件についての設定内容、或いは、前記第２の設定保存手段に保存された画像出力条件についての設定内容のいずれかに従い前記出力装置により画像出力を行なうように制御する制御装置であって、前記画像データまたは前記画像データを示す出力画像情報ファイルを記憶するための前記第１の設定保存手段に記憶された画像出力条件についての設定内容に従い画像出力するようになされた第１の記憶手段及び前記第２の設定保存手段に記憶された画像出力条件についての設定内容に従い画像出力するようになされた第２の記憶手段と、前記画像データのそれぞれについて前記第１及び前記第２の設定保存手段に保存された画像出力条件についての設定内容のうちいずれに従って画像出力を行なうかを選択する選択情報を取得する選択情報取得手段と、前記選択情報に基づいて、前記画像データまたは前記画像データを示す出力画像情報ファイルを前記第１の記憶手段または第２の記憶手段に記憶するように制御する記憶制御手段と、前記画像データまたは前記画像データを示す出力画像情報ファイルが記憶された前記記憶手段に基づいて前記画像データについて画像出力条件の設定を行なう設定手段と、前記設定手段の設定情報を前記出力装置に送信する送信手段とを有することを特徴とする。
【００１４】
上記課題を解決するために、請求項９記載の発明は、画像出力を行う出力装置と通信可能に接続され、画像出力条件についての設定内容保存する第２の設定保存手段を有し、前記出力装置に備えた第１の設定保存手段に保存された画像出力条件についての設定内容、或いは、前記第２の設定保存手段に保存された画像出力条件についての設定内容のいずれかに従い前記出力装置により画像出力を行なうように制御する制御装置であって、前記画像データのそれぞれについて前記第１及び前記第２の設定保存手段に保存された画像出力条件についての設定内容のうちいずれに従って画像出力を行なうかを選択する選択情報を取得する選択情報取得手段と、前記選択情報を前記出力装置に送信する送信手段とを有することを特徴とする。
【００１５】
上記課題を解決するために、請求項１０記載の発明は、前記設定内容は複数の項目で構成され、前記選択情報は、前記画像データのそれぞれについての前記複数の項目の各々の項目について前記第１及び前記第２の設定保存手段に保存された画像出力条件についての設定内容のうちいずれに従って画像出力を行なうかを選択することを特徴とする。
【００１６】
上記課題を解決するために、請求項１１記載の発明は、前記出力装置に備えた第１の設定保存手段に保存された画像出力条件についての設定内容の表示、前記制御装置に備えた第２の設定保存手段に保存された画像出力条件についての設定内容の表示、前記選択の変更を行うための表示、または、前記第２の設定保存手段に保存された画像出力条件についての設定内容の変更をおこなうための表示のうち少なくともいずれかひとつが表示可能な表示手段をさらに含むことを特徴とする。
【００１７】
上記課題を解決するために、請求項１２記載の発明は、画像データに基づく画像を出力するように制御する制御装置と通信可能に接続され、画像出力条件についての設定内容を保存する第１の設定保存手段を有し、前記第１の設定保存手段に保存された画像出力条件についての設定内容、或いは、前記制御装置に備えた第２の設定保存手段に保存された画像出力条件についての設定内容のいずれかに従い画像出力を行う出力装置であって、前記制御装置から送信される前記画像データのそれぞれについて前記第１及び前記第２の設定保存手段に保存された画像出力条件についての設定内容のうちいずれに従って画像出力を行なうかを選択する選択情報に基づいて、前記画像データについて画像出力条件の設定を行なう設定手段と、前記設定手段の画像出力条件に従いつつ画像出力を行うように制御する制御手段とを有することを特徴とする。
【００１８】
上記課題を解決するために、請求項１３記載の発明は、画像データに基づく画像を出力するように制御する制御装置と通信可能に接続され、画像出力条件についての設定内容を保存する第１の設定保存手段を有し、前記第１の設定保存手段に保存された画像出力条件についての設定内容、或いは、前記制御装置に備えた第２の設定保存手段に保存された画像出力条件についての設定内容のいずれかに従い画像出力を行う出力装置であって、前記画像データまたは前記画像データを示す出力画像情報ファイルを記憶するための前記第１の設定保存手段に記憶された画像出力条件についての設定内容に従い画像出力するようになされた第１の記憶手段及び前記第２の設定保存手段に記憶された画像出力条件についての設定内容に従い画像出力するようになされた第２の記憶手段と、前記制御装置から送信される前記画像データのそれぞれについて前記第１及び前記第２の設定保存手段に保存された画像出力条件についての設定内容のうちいずれに従って画像出力を行なうかを選択する選択情報に基づいて、前記画像データまたは前記画像データを示す出力画像情報ファイルを前記第１の記憶手段または第２の記憶手段に記憶するように制御する記憶制御手段と、前記画像データまたは前記画像データを示す出力画像情報ファイルが記憶された前記記憶手段に基づいて前記画像データについて画像出力条件の設定を行なう設定手段と、前記設定手段の画像出力条件に従いつつ画像出力を行うように制御する制御手段とを有することを特徴とする。
【００１９】
上記課題を解決するために、請求項１４記載の発明は、前記設定内容は複数の項目で構成され、前記選択情報は、前記画像データのそれぞれについての前記複数の項目の各々の項目について前記第１及び前記第２の設定保存手段に保存された画像出力条件についての設定内容のうちいずれに従って画像出力を行なうかを選択することを特徴とする。
【００２０】
上記課題を解決するために、請求項１５記載の発明は、画像出力を行う出力装置と画像データに基づく画像を出力するように前記出力装置を制御する制御装置とから構成され、前記出力装置に備えた第１の設定保存手段に保存された画像出力条件についての設定内容、或いは、前記制御装置に備えた第２の設定保存手段に保存された画像出力条件についての設定内容のいずれかに従い前記出力装置により画像出力を行う画像出力システムにおける画像出力制御方法であって、前記画像データのそれぞれについて前記第１及び前記第２の設定保存手段に保存された画像出力条件についての設定内容のうちいずれに従って画像出力を行なうかを選択する選択情報を取得するステップと、前記選択情報に基づいて前記画像データについて画像出力条件の設定を行なうステップとを含むことを特徴とする。
【００２１】
上記課題を解決するために、請求項１６記載の発明は、画像出力を行う出力装置と画像データに基づく画像を出力するように前記出力装置を制御する制御装置とから構成され、前記出力装置に備えた第１の設定保存手段に保存された画像出力条件についての設定内容、或いは、前記制御装置に備えた第２の設定保存手段に保存された画像出力条件についての設定内容のいずれかに従い前記出力装置により画像出力を行う画像出力システムにおける画像出力制御方法であって、前記画像データのそれぞれについて前記第１及び前記第２の設定保存手段に保存された画像出力条件についての設定内容のうちいずれに従って画像出力を行なうかを選択する選択情報を取得するステップと、前記選択情報に基づいて、前記画像データまたは前記画像データを示す出力画像情報ファイルを、前記第１の設定保存手段に記憶された画像出力条件についての設定内容に従い画像出力するようになされた第１の記憶手段及び前記第２の設定保存手段に記憶された画像出力条件についての設定内容に従い画像出力するようになされた第２の記憶手段に記憶するステップと、前記画像データまたは前記画像データを示す出力画像情報ファイルが記憶された前記記憶手段に基づいて前記画像データについて画像出力条件の設定を行なうステップとを含むことを特徴とする。
【００２２】
【発明の実施の形態】
以下、本発明に係る画像出力システム、制御装置、出力装置及びその画像出力制御方法の一実施形態について、図面を参照しながら詳細に説明する。尚、本発明に係る出力装置は、プリンタ、複写機、ファクシミリ等、種々の出力装置に対して適応可能なものであるが、以下においては、出力装置がＤＣＰ作成装置であるものとして説明する。
【００２３】
［第１の実施の形態］
（システム構成）
図１に、本実施形態における画像出力システムの全体構成を表すシステム構成図を示す。同図に示すように、当該画像出力システムは、作業端末２０からホストコンピュータ１０（制御装置）に送信された画像データまたはホストコンピュータ１０で作成された画像データを出力装置１に送信すると共に、出力装置１に関する出力制御を行なうホストコンピュータ１０と、このホストコンピュータ１０から送信された画像データに基づき所定の画像を出力する出力装置１とから構成されている。
【００２４】
ホストコンピュータ１０は、コンピュータ本体、キーボード或いはマウス等の操作手段から成る操作部、モニタ等の表示手段から成る表示部等を備え、少なくとも出力装置１での画像出力条件を指示するためのプログラムを含む出力装置１の出力制御に関する動作プログラムが組み込まれている。そして、当該ホストコンピュータ１０は、作業端末２０からホストコンピュータ１０に送信された画像データまたはホストコンピュータ１０で作成された画像データを、当該画像データの画像出力条件としての設定情報と関連付けて出力装置１に送信する。
【００２５】
出力装置１は、画像出力部及び操作部等を備え、前記操作部は、液晶パネル等の表示器とタッチパネル等から構成されている。そして、当該出力装置１の操作部で設定された出力装置１での画像出力条件についての設定内容、或いは、ホストコンピュータ１０において設定された出力装置１での画像出力条件についての設定内容に従い、ホストコンピュータ１０から送信される画像データを出力する。
【００２６】
（制御構成）
図２に、当該画像出力システムのホストコンピュータ１０及び出力装置１の制御構成を表すブロック図を示す。
【００２７】
図２に示すように、ホストコンピュータ１０は、マイクロプロセッサからなる演算処理部１１、メモリからなる第１記憶部１２、ハードディスク（ＨＤＤ）からなる第２記憶部１３、外部との通信手段であるインターフェイス１４（送信手段）、ディスプレイからなる表示部１５、キーボードやマウスからなる操作部１６で構成されている。
【００２８】
第２記憶部１３には、全体の制御プログラム、後述する出力装置１の画像出力条件についての設定内容を送信するためのプログラム、および表示部１５、操作部１６を用いて設定される出力装置１の画像出力条件についての設定内容等がそれぞれ特定のディレクトリにファイルとして格納されていて、本発明でいう第２の設定保存手段としての機能を有する。
【００２９】
演算処理部１１は、ホストコンピュータ１０全体の制御を行うとともに、作業端末２０から送信されるまたは表示部１５、操作部１６を用いて入力される後述する出力装置１の画像出力条件についての設定内容の選択に基づいて画像データの画像出力条件の設定を行う設定手段としての機能等を有している。
【００３０】
インターフェイス１４は、出力装置１とは制御信号線７で接続され、画像データや設定情報等を接続された出力装置１に送信する送信手段としての機能を有している。また、図示していないが、作業端末２０とネットワークを介して接続され、作業端末２０から送信される画像データを取得する機能および後述の選択情報を取得する選択情報取得手段としての機能を演算処理部１１と共に構成している。なお、ホストコンピュータ１０で作成される画像データを取得する機能および選択情報取得手段としての機能は、演算処理部１１で構成される。
【００３１】
表示部１５は、出力装置１の状況や各種情報を表示する表示手段であるとともに、合わせて操作部１６を用いることにより各種設定や操作のための情報を入力することが可能である。
【００３２】
一方、出力装置１について図２を参照して説明する。出力装置１は、送信された画像データに基づいて画像を出力する装置である。出力装置１は図２に示すように、主にこの出力装置１の各部の制御を行う制御部２と、画像出力部３と、主に画像データを記憶するＨＤＤ４と、表示器およびタッチパネルからなるパネル５、ホストコンピュータ１０と通信可能に接続するための外部インターフェイス６とで構成される。
【００３３】
ＨＤＤ４は、ホストコンピュータ１０のインターフェイス１４から送信される画像データを記憶し、画像出力部３は、前記受信した画像データの画像出力処理を行う。また、ホストコンピュータ１０のインターフェイス１４から送信される画像データの記憶は、このＨＤＤ４に限られるものではなく、別途ＲＡＭ等のメモリを設けて記憶するようにしても良い。
【００３４】
パネル５は、例えば操作の受付けを行うタッチパネルとパターンや文字の表示を行うＬＣＤからなる表示器とが重ねて配置されてなり、ＬＣＤに表示されている位置でタッチパネルを指で押下・指示して、用紙サイズ設定や出力濃度設定等画像出力条件の入力行なうことや、出力装置１の動作状態が表示できるように構成している。
【００３５】
外部インターフェイス６は、主に送信されてくる画像データや後述する設定情報等を受信する機能を有する。
【００３６】
制御部２は、各部の制御を行うと共に後述する設定情報に基づいて画像出力を行なうように制御する制御手段としての機能を備えている。これらの機能を実現するために具体的には、ＣＰＵ２ａと、各種の制御プログラム、および、制御プログラムを実行するときに必要な各種データを記憶すると共に、制御プログラムを実行するときのワークエリアを構成するシステムメモリ２ｂと、を含んで構成される。また、システムメモリ２ｂは、パネル５から入力される前述の画像出力条件についての設定内容を記憶する第１の設定保存手段としての機能を有している。また、パネル５から入力される前述の画像出力条件についての設定内容は前述のＨＤＤ４に記憶しても良い。
【００３７】
また、上述のシステムメモリ２ｂに記憶された前記設定内容および第２記憶部１３に記憶された前記設定内容を、制御信号線７、インターフェイス１４および外部インターフェイス６を介して、ホストコンピュータ１０および出力装置１は相互に認識することが可能である。
【００３８】
（画像出力制御方法）
以下このような構成において、出力装置１の画像出力条件の設定を行う画像出力制御方法について説明する。
【００３９】
まず、ここでシステムメモリ２ｂおよび第２記憶部１２に記憶されている出力装置１の画像出力条件についての設定内容について説明する。システムメモリ２ｂおよび第２記憶部１２には、画像出力条件についての初期設定内容が記憶されている。初期設定内容を使用する場合にはそのままで良いが、初期設定内容から変更して使用する場合には次のようにして行なう。出力装置１においては、通常、図３に示すようなメイン画面３０がパネル５に表示され画像出力条件について設定内容の確認を行ない、変更する場合には、まず、ここでメイン画面３０中のセットアップ画面キー３０ａを押下して、図４に示すようなセットアップ画面３１に遷移させる。次に、それぞれの設定項目について表示している設定キー３１ａを押下してそれぞれの設定画面（図示せず）で入力を行ないシステムメモリ２ｂに記憶された画像出力条件についての設定内容を変更する。また、ホストコンピュータ１０においては、表示部１５に図４と同様な画面を表示させて、操作部１６のマウスやキーボードを使用して画面を切り替えつつ入力を行ない、第２記憶部に記憶された出力装置１の画像出力条件についての設定内容を変更する。
【００４０】
次に、システムメモリ２ｂに記憶された画像出力条件についての設定内容及び第２記憶部１３に記憶された画像出力条件についての設定内容のうちいずれに従って画像出力を行なうか選択して画像出力を行う画像出力制御方法について説明する。図５は、画像出力制御方法の手順を示すフローチャートである。
【００４１】
まず、作業端末２０から、画像データをホストコンピュータ１０に送信する時に、図６に示すような印刷画面３２にシステムメモリ２ｂに記憶された画像出力条件についての設定内容及び第２記憶部１３に記憶された画像出力条件についての設定内容のうちいずれに従い画像出力を行なうかを選択可能に表示されている設定選択表示３２ａを用いて画像出力条件についての設定内容の選択を行ない、選択結果を選択情報としてホストコンピュータ１０に送信すると、ホストコンピュータ１０は画像データおよび選択情報を取得し出力キューとして登録する（Ｓ１０１）。この登録された画像データは出力装置１への送信待ちの間（Ｓ１０２）に表示部１５に図７に示すようなキュー表示画面３３のデータ表示部３３ａにファイルとして表示することができる。この時、例えばカーソルを所望のファイル上に移動しダブルクリックをすることで例えば図６に示した印刷画面３２を表示させて選択表示３２ａを用いて選択の変更を行なえるようにしても良い。また、画像データおよび選択情報はホストコンピュータ１０上で作成したものであっても良い。
【００４２】
そして、まず選択情報（選択結果）に基づいてシステムメモリ２ｂに記憶された画像出力条件についての設定内容または第２記憶部１３に記憶された画像出力条件についての設定内容のいずれかの設定内容で画像データの画像出力条件の設定を行い設定情報として出力装置１に送信し、つづいて画像データを送信する（Ｓ１０３）。出力装置１はこれらを受信して（Ｓ２０１）、受信した設定情報に基づいて受信した画像データを画像出力する（Ｓ２０２）。このようにして作業者は、画像出力条件についての設定内容を選択することが可能となり、システムメモリ２ｂおよび第２記憶部１３に同じ項目について異なる画像出力条件で設定がなされていても確実に所望の画像出力条件で出力結果を得ることが可能となる。
【００４３】
また、この時送信する設定情報は、第２記憶部１３に記憶された画像出力条件についての設定内容に従い画像出力を行なうことが選択された場合には設定内容を設定情報として送信し出力装置１は受信した設定情報に基づいて受信した画像データを画像出力し、システムメモリ２ｂに記憶された画像出力条件についての設定内容に従い画像出力を行なうことが選択された場合には詳細な設定内容を送信しないまたは設定情報を送信せずその場合には出力装置１は出力装置１のシステムメモリ２ｂに記憶された画像出力条件についての設定内容に基づいて受信した画像データを画像出力するようにしても良い。
【００４４】
また、上述の選択は、システムメモリ２ｂに記憶された画像出力条件についての設定内容または第２記憶部１３に記憶された画像出力条件についての設定内容のどちらかを選択して画像出力するようにしたが、例えば図８に示す画面を用いて設定項目毎にシステムメモリ２ｂに記憶された画像出力条件についての設定内容または第２記憶部１３に記憶された画像出力条件についての設定内容のいずれかを選択できるようにしても良い。これにより作業者は、画像出力条件についての設定内容を組み合わせることが可能となり利便性が良い。
【００４５】
また、上述のキュー表示画面３３から前述のメイン画面３０を表示し第２記憶部１３に記憶された画像出力条件についての設定内容を確認できるようにし、さらに前述のセットアップ画面３１を表示させて第２記憶部１３に記憶された画像出力条件についての設定内容を一時的に変更できるようにすれば、上述の選択で第２記憶部１３に記憶された画像出力条件についての設定内容の確認とさらに設定項目についての画像出力条件の変更が容易にできるのでさらに利便性が良い。また、メイン画面にシステムメモリ２ｂに記憶された画像出力条件についての設定内容を表示させるようにすると設定内容の比較ができさらに利便性が良い。
【００４６】
また、上述の説明では画像データと選択情報を同時に取得するように説明したが、制御装置１０は作業端末２０から送信される画像データまたは制御装置１０で作成される画像データを取得し、出力キューとして登録しておき、選択情報は、表示部１５にキュー表示画面３３（図７）を表示し、キュー表示画面３３のデータ表示部３３ａに表示されるファイルをダブルクリックをすることで印刷画面３２（図６）を表示させて選択表示３２ａを用いて選択を行なえるようにしても良い。
【００４７】
また、ホストコンピュータ１０から出力装置１に対して上述の選択情報を送信し、選択情報を出力装置で受信するようにして、上述のステップＳ１０３で選択情報に基づいてシステムメモリ２ｂに記憶された画像出力条件についての設定内容または第２記憶部１３に記憶された画像出力条件についての設定内容のいずれかの設定内容で画像出力条件の設定を行う設定手段としての機能を出力装置に備えることで選択情報に基づいて画像データを画像出力することも可能である。
【００４８】
［第２の実施の形態］
次に、本発明に係る第２の実施の形態について説明する。なお、以下には第１の実施の形態と実質的に同様の構成に関しては、なるべく説明を省略し、主に異なる点について述べる。
【００４９】
本実施の形態は、ホストコンピュータ１０は、記憶された画像データをシステムメモリ２ｂに記憶された画像出力条件についての設定内容で出力するようになされた第１のスプールフォルダ（第１の記憶手段）または記憶された画像データを第２記憶部１３に記憶された画像出力条件についての設定内容で出力するようになされた第２のスプールフォルダ（第２の記憶手段）に取得した画像データを選択情報（選択結果）に基づいて一時的に記憶させ、出力キューとして登録し、出力装置１に画像データを送信する際、記憶されているスプールフォルダに基づいてシステムメモリ２ｂに記憶された画像出力条件についての設定内容または第２記憶部１３に記憶された画像出力条件についての設定内容のいずれかの設定内容で画像データの画像出力条件の設定を行い設定情報として出力装置１に送信するものである。
【００５０】
本実施の形態においては、まず、ホストコンピュータ１０で表示部１５に例えば図９に示すようなスプールフォルダ設定画面３４を表示させてシステムメモリ２ｂに記憶された画像出力条件についての設定内容で出力するか第２記憶部１３に記憶された画像出力条件についての設定内容で出力するかを関連付けたスプールフォルダを作成しておく。このスプールフォルダは、１つずつと限るものではなくそれぞれに複数作成しても構わない。この時、画像データをスプールフォルダに記憶させる制御する記憶制御手段としての機能を、演算処理部１１に備える。また、画像データは第２記憶部１３としてのＨＤＤ上の別なディレクトリにファイルとして記憶し、スプールフォルダには画像データの情報を示す出力画像情報ファイルを書き込むことでも良い。ただし、以下の説明ではスプールフォルダに画像データを記憶するように説明する。
【００５１】
さらに図１０を用いて詳しく説明する。図１０は、画像出力制御方法の手順を示すフローチャートである。
【００５２】
まず、作業端末２０から、画像データをホストコンピュータ１０に送信する時に、図６に示すような印刷画面３２にシステムメモリ２ｂに記憶された画像出力条件についての設定内容及び第２記憶部１３に記憶された画像出力条件についての設定内容のうちいずれに従い画像出力を行なうかを選択可能に表示されている設定選択表示３２ａを用いて画像出力条件についての設定内容の選択を行ない、選択結果を選択情報としてホストコンピュータ１０に送信すると、ホストコンピュータ１０は画像データおよび選択情報は取得する（Ｓ３０１）。そして画像データは、選択情報に基づいて（Ｓ３０２）第１のスプールフォルダまたは第２のスプールフォルダに記憶するように記憶制御がなされ（Ｓ３０３、Ｓ３０４）、出力キューとして登録される。この登録された画像データは出力装置１への送信待ちの間（Ｓ３０５）に表示部１５に図７に示すようなキュー表示画面３３のデータ表示部３３ａにファイルとして表示することができる。この時、例えばカーソルを所望のファイル上に移動しダブルクリックをすることで例えば図６に示した印刷画面３２を表示させて選択表示３２ａを用いて選択の変更を行なえるようにしても良い。言うまでも無いが、この選択の変更に伴い画像データは選択に基づいたスプールフォルダへ移動させる。また、画像データおよび選択情報はホストコンピュータ１０上で作成したものであっても良い。
【００５３】
そして、まず記憶されたスプールフォルダに基づいてシステムメモリ２ｂに記憶された画像出力条件についての設定内容または第２記憶部１３に記憶された画像出力条件についての設定内容のいずれかの設定内容で画像データの画像出力条件の設定を行い設定情報として出力装置１に送信し、つづいて画像データを送信する（Ｓ３０６）。出力装置１はこれらを受信して（Ｓ２０１）、受信した設定情報に基づいて受信した画像データを画像出力する（Ｓ２０２）。このようにして作業者は、画像出力条件についての設定内容を選択することが可能となり、システムメモリ２ｂおよび第２記憶部１３に同じ項目について異なる画像出力条件で設定がなされていても確実に所望の画像出力条件で出力結果を得ることが可能となる。
【００５４】
また、この時送信する設定情報は、第２記憶部１３に記憶された画像出力条件についての設定内容に従い画像出力を行なうことが選択された場合には設定内容を設定情報として送信し出力装置１は受信した設定情報に基づいて受信した画像データを画像出力し、システムメモリ２ｂに記憶された画像出力条件についての設定内容に従い画像出力を行なうことが選択された場合には詳細な設定内容を送信しないまたは設定情報を送信せずその場合には出力装置１は出力装置１のシステムメモリ２ｂに記憶された画像出力条件についての設定内容に基づいて受信した画像データを画像出力するようにしても良い。
【００５５】
また、上述のキュー表示画面３３から前述のメイン画面３０を表示し第２記憶部１３に記憶された画像出力条件についての設定内容を確認できるようにし、さらに前述のセットアップ画面３１を表示させて第２記憶部１３に記憶された画像出力条件についての設定内容を一時的に変更できるようにすれば、上述の選択で第２記憶部１３に記憶された画像出力条件についての設定内容の確認とさらに設定項目についての画像出力条件の変更が容易にできるのでさらに利便性が良い。また、メイン画面３０にシステムメモリ２ｂに記憶された画像出力条件についての設定内容を表示させるようにすると設定内容の比較ができさらに利便性が良い。
【００５６】
［第３の実施の形態］
次に、本発明に係る第３の実施の形態について説明する。なお、以下には第１の実施の形態と実質的に同様の構成に関しては、なるべく説明を省略し、主に異なる点についてのみ述べる。
【００５７】
本実施の形態は、出力装置１は、記憶された画像データをシステムメモリ２ｂに記憶された画像出力条件についての設定内容で出力するようになされた第１のスプールフォルダ（第１の記憶手段）または記憶された画像データを第２記憶部１３に記憶された画像出力条件についての設定内容で出力するようになされた第２のスプールフォルダ（第２の記憶手段）にホストコンピュータ１０から送信される画像データを同じくホストコンピュータ１０から送信される選択情報に基づいて一時的に記憶させ、出力キューとして登録し、画像出力する際、記憶されているスプールフォルダに基づいてシステムメモリ２ｂに記憶された画像出力条件についての設定内容または第２記憶部１３に記憶された画像出力条件についての設定内容のいずれかの設定内容で画像データの画像出力条件の設定を行い画像出力するものである。
【００５８】
本実施の形態においては、まず、出力装置１のパネル５に例えばスプールフォルダ設定画面３４（図９）を表示させてシステムメモリ２ｂに記憶された画像出力条件についての設定内容で出力するか第２記憶部１３に記憶された画像出力条件についての設定内容で出力するかを関連付けてスプールフォルダを作成しておく。このスプールフォルダは、１つずつと限るものではなくそれぞれに複数作成しても構わない。また、スプールフォルダは、ＨＤＤ４に作成する、別なメモリを設けて例えばアドレスを分けて記憶するようにしてスプールフォルダとしての機能を備える、または、メモリを複数設けてメモリ毎にスプールフォルダとしての機能を備えるようにできる。この時、画像データをスプールフォルダに記憶させるように制御する記憶制御手段としての機能を、制御部２に備える。また、画像データはＨＤＤ４上の別なディレクトリまたは別にメモリを設けた場合には別なアドレス、または別メモリにファイルとして記憶し、スプールフォルダには画像データの情報を示す出力画像情報ファイルを書き込むことでも良い。ただし、以下の説明ではスプールフォルダに画像データを記憶するように説明する。また、スプールフォルダの作成は、ホストコンピュータ１０から行なうような構成であっても構わない。
【００５９】
さらに図１１を用いて詳しく説明する。図１１は、画像出力制御方法の手順を示すフローチャートである。
【００６０】
まず、作業端末２０から、画像データをホストコンピュータ１０に送信する時に、図６に示すような印刷画面３２にシステムメモリ２ｂに記憶された画像出力条件についての設定内容及び第２記憶部１３に記憶された画像出力条件についての設定内容のうちいずれに従い画像出力を行なうかを選択可能に表示されている設定選択表示３２ａを用いて設定内容の選択を行ない、選択結果を選択情報としてホストコンピュータ１０に送信すると、ホストコンピュータ１０は画像データおよび選択情報を取得し、出力キューとして登録する（Ｓ４０１）。この登録された画像データは出力装置１への送信待ちの間（Ｓ４０２）に表示部１５に図７に示すようなキュー表示画面３３のデータ表示部３３ａに表示することができる。この時、例えばカーソルを所望のデータ上に移動しダブルクリックをすることで例えば図６に示した印刷画面３２を表示させて選択表示３２ａを用いて選択の変更を行なえるようにしても良い。また、画像データおよび選択情報はホストコンピュータ１０上で作成したものであっても良い。
【００６１】
そして、まず選択情報を出力装置１に送信し、つづいて画像データを送信する（Ｓ４０３）。そして画像データは、選択情報に基づいて（Ｓ５０１）第１のスプールフォルダまたは第２のスプールフォルダに記憶される（Ｓ５０２、Ｓ５０３）。
【００６２】
さらに、記憶されたスプールフォルダに基づいてシステムメモリ２ｂに記憶された画像出力条件についての設定内容または第２記憶部１３に記憶された画像出力条件についての設定内容のいずれかの設定内容で画像データの画像出力条件の設定を行い画像出力する（Ｓ５０４）。このようにして作業者は、画像出力条件についての設定内容を選択することが可能となり、システムメモリ２ｂおよび第２記憶部１３に同じ項目について異なる画像出力条件で設定がなされていても確実に所望の画像出力条件で出力結果を得ることが可能となる。
【００６３】
また、上述のキュー表示画面３３から前述のメイン画面３０を表示し第２記憶部１３に記憶された画像出力条件についての設定内容を確認できるようにし、さらに前述のセットアップ画面３１を表示させて第２記憶部１３に記憶された画像出力条件についての設定内容を一時的に変更できるようにすれば、上述の選択で第２記憶部１３に記憶された画像出力条件についての設定内容の確認とさらに設定項目についての画像出力条件の変更が容易にできるのでさらに利便性が良い。また、メイン画面にシステムメモリ２ｂに記憶された画像出力条件についての設定内容を表示させるようにすると設定内容の比較ができさらに利便性が良い。
【００６４】
以上に説明したように、本実施形態における画像出力システム、制御装置、出力装置及び画像出力制御方法によれば、制御装置、および、出力装置において出力装置での画像出力条件の入力操作が行われる場合であっても、いずれかの画像出力条件についての設定内容を選択して出力制御が成されるので、これら双方における画像出力条件についての設定内容により不整合が生じることが確実に防止される。また、どちらかの画像出力条件についての設定内容を自由に選択できるので利便性が良い。
【００６５】
尚、本発明に係る画像出力システム、制御装置、出力装置及び画像出力制御方法は、以上に説明した実施形態に限定されるものではなく、例えば、ホストコンピュータ１０に対する出力装置１の個数は複数であっても良い。また、ホストコンピュータ１０の出力装置１に対する出力制御の内容、即ち、メイン画面３０、セットアップ画面３１における具体的項目等は、出力装置の種類、具体的には、プリンタ、複写機、ファクシミリ等の種類に応じて適切に変更されるものとする。
【００６６】
【発明の効果】
以上に説明したように、本発明に係る画像出力システム、制御装置、出力装置及び画像出力制御方法によれば、制御装置、および、出力装置において出力装置で画像出力条件の入力操作が行なわれる場合であっても、いずれかの画像出力条件についての設定内容を確実に選択して出力制御が成されるので、これら双方における画像出力条件についての設定内容により不整合が生じることを確実に防止することができる。
【図面の簡単な説明】
【図１】本発明に係る画像出力システムの全体構成を表すシステム構成図である。
【図２】図１に示す画像出力システムのホストコンピュータ及び出力装置の制御構成を表すブロック図である。
【図３】図１に示す画像出力システムのホストコンピュータ及び出力装置において表示される出力装置の画像出力条件の入力を行なうための画面の１つを表す図である。
【図４】図１に示す画像出力システムのホストコンピュータ及び出力装置において表示される出力装置の画像出力条件の入力を行なうための画面の１つを表す図である。
【図５】画像制御方法の手順を示すフローチャートである。
【図６】図１に示す画像出力システムのホストコンピュータ及び作業端末において表示される画像データの印刷を行なうための画面の１つを表す図である。
【図７】図１に示す画像出力システムのホストコンピュータ及び作業端末において表示されるキューの表示を行なうための画面の１つを表す図である。
【図８】図１に示す画像出力システムのホストコンピュータ及び作業端末において表示される画像データの印刷を行なうための画面の１つを表す図である。
【図９】図１に示す画像出力システムのホストコンピュータ及び出力装置において表示されるスプールフォルダの作成を行なうための画面の１つを表す図である。
【図１０】画像制御方法の手順を示すフローチャートである。
【図１１】画像制御方法の手順を示すフローチャートである。
【符号の説明】
１　出力装置
２　制御部
２ａ　ＣＰＵ
２ｂ　システムメモリ
３　画像出力部
４　ＨＤＤ
５　パネル
６　外部インターフェイス
７　制御信号線
１０　ホストコンピュータ
１１　演算処理部
１２　第１記憶部
１３　第２記憶部
１４　インターフェイス
１５　表示部
１６　操作部
２０　出力端末
【図１】
2004021494.tif 000003
【図２】
2004021494.tif 000004
【図３】
2004021494.tif 000005
【図４】
2004021494.tif 000006
【図５】
2004021494.tif 000007
【図６】
2004021494.tif 000008
【図７】
2004021494.tif 000009
【図８】
2004021494.tif 000010
【図９】
2004021494.tif 000011
【図１０】
2004021494.tif 000012
【図１１】
2004021494.tif 000013